(57)【要約】【課題】自動販売機の運用において本来の機能を損ねることなく、偽造コイン等を用いる犯罪に対して有効に機能する自動販売機の制御方法および装置および硬貨補助識別装置を提供する。【解決手段】硬貨補助識別装置３は硬貨１が投入された際に、第１の判別手段４と第２の判別手段５とで硬貨１を識別し、偽貨と判別された場合は信号切替設定スイッチ６によって偽貨信号を無効に設定していない場合、硬貨処理装置７に偽貨信号を出力し、また、偽貨信号を無効に設定している場合、硬貨処理装置７に偽貨信号を出力しない。更に、硬貨補助識別装置３は、待機状態の際に、硬貨補助識別装置３に異常等が発生すると、信号切替設定スイッチ６によって硬貨受入禁止信号を無効に設定していない場合、硬貨処理装置７に硬貨受入禁止信号を出力し、また、硬貨受入禁止信号を無効に設定している場合、硬貨処理装置７に硬貨受入禁止信号を出力しない。【選択図】　図１
2004021314.tif 000002
【特許請求の範囲】
【請求項１】
硬貨投入口と硬貨処理装置との間に、前記硬貨投入口から投入された硬貨の正偽の補助識別を行う硬貨補助識別装置を配設し、前記硬貨補助識別装置により前記硬貨投入口から投入された硬貨が偽貨と識別された場合は、該識別に基づいて偽貨を示す補助識別結果を発生し、前記硬貨補助識別装置で偽貨と識別された硬貨を前記硬貨処理装置から返却する自動販売機の制御方法において、
前記硬貨補助識別装置の補助識別を採用するか否かを選択的に設定し、
前記硬貨補助識別装置の補助識別を採用しないと設定された場合は、前記硬貨補助識別装置の補助識別結果を無効にする
ことを特徴とする自動販売機の制御方法。
【請求項２】
前記補助識別結果の無効は、前記硬貨補助識別装置の偽貨識別に基づいて発生される偽貨信号を無効にすることである
ことを特徴とする請求項１記載の自動販売機の制御方法。
【請求項３】
前記硬貨補助識別装置の補助識別を採用しないと設定された場合における前記偽貨信号の無効は、前記硬貨補助識別装置で行われる
ことを特徴とする請求項２記載の自動販売機の制御方法。
【請求項４】
前記硬貨補助識別装置の補助識別を採用しないと設定された場合における前記偽貨信号の無効は、前記硬貨補助識別装置と自動販売機の主制御部との間に接続された通信制御部で行われる
ことを特徴とする請求項２記載の自動販売機の制御方法。
【請求項５】
前記硬貨補助識別装置の補助識別を採用しないと設定された場合における前記偽貨信号の無効は、前記硬貨処理装置で行われる
ことを特徴とする請求項２記載の自動販売機の制御方法。
【請求項６】
前記硬貨補助識別装置の補助識別を採用しないと設定された場合における前記偽貨信号の無効は、前記硬貨補助識別装置および前記硬貨処理装置に接続された自動販売機の主制御部で行われる
ことを特徴とする請求項２記載の自動販売機の制御方法。
【請求項７】
前記硬貨補助識別装置の異常を検出して該異常検出に基づき硬貨受入禁止信号を発生し、
前記硬貨補助識別装置の補助識別を採用すると設定されている場合は、前記硬貨受入禁止信号を前記硬貨処理装置へ加えて、前記硬貨投入口から投入された硬貨の前記硬貨処理装置への受入を禁止し、
前記硬貨補助識別装置の補助識別を採用しないと設定された場合は、前記硬貨受入禁止信号を無効にする
ことを特徴とする請求項２記載の自動販売機の制御方法。
【請求項８】
硬貨投入口と硬貨処理装置との間に、前記硬貨投入口から投入された硬貨の正偽の補助識別を行う硬貨補助識別装置を配設し、前記硬貨補助識別装置により前記硬貨投入口から投入された硬貨が偽貨と識別された場合は、該識別に基づいて偽貨を示す補助識別結果を発生し、前記硬貨補助識別装置で偽貨と識別された硬貨を前記硬貨処理装置から返却する自動販売機の制御装置において、
前記硬貨補助識別装置の補助識別を採用するか否かを選択的に設定する設定手段と、
前記硬貨補助識別装置の補助識別を採用しないと設定された場合は、前記硬貨補助識別装置の補助識別結果を無効にする補助識別結果無効手段と
を具備することを特徴とする自動販売機の制御装置。
【請求項９】
前記補助識別結果の無効は、前記硬貨補助識別装置の偽貨識別に基づいて発生される偽貨信号を無効にすることである
ことを特徴とする請求項８記載の自動販売機の制御装置。
【請求項１０】
前記補助識別結果無効手段は、
前記硬貨補助識別装置に設けられる
ことを特徴とする請求項９記載の自動販売機の制御装置。
【請求項１１】
前記補助識別結果無効手段は、
前記硬貨補助識別装置と自動販売機の主制御部との間に接続された通信制御部に設けられる
ことを特徴とする請求項９記載の自動販売機の制御装置。
【請求項１２】
前記補助識別結果無効手段は、
前記硬貨処理装置に設けられる
ことを特徴とする請求項９記載の自動販売機の制御装置。
【請求項１３】
前記補助識別結果無効手段は、
前記硬貨補助識別装置および前記硬貨処理装置に接続された自動販売機の主制御部に設けられる
ことを特徴とする請求項９記載の自動販売機の制御装置。
【請求項１４】
前記硬貨補助識別装置の異常を検出して該異常検出に基づき異常信号を発生する異常信号発生手段と、
前記設定手段により前記硬貨補助識別装置の補助識別を採用すると設定されている場合に、前記異常信号に基づき硬貨受入禁止信号を前記硬貨処理装置へ加えて、前記硬貨投入口から投入された硬貨の前記硬貨処理装置への受入を禁止する硬貨受入禁止手段と、
前記設定手段により前記硬貨補助識別装置の補助識別を採用しないと設定された場合に、前記硬貨受入禁止信号を無効にする硬貨受入禁止信号無効手段と
を更に具備することを特徴とする請求項９記載の自動販売機の制御装置。
【請求項１５】
硬貨投入口と硬貨処理装置との間に設けられ、前記硬貨投入口から投入された硬貨の正偽の補助識別を行う硬貨補助識別装置であって、
前記硬貨投入口から投入された硬貨が補助識別対象硬貨か否かを判別する第１の判別手段と、
前記第１の判別手段により前記硬貨投入口から投入された硬貨が前記補助識別対象硬貨であると判別された場合に起動され、該硬貨が正貨であるか否かを判別する第２の判別手段と、
前記第２の判別手段により前記硬貨投入口から投入された硬貨が偽貨であると判別された場合は偽貨信号を発生する偽貨信号発生手段と、
前記偽貨信号発生手段で発生された偽貨信号を無効にするか否かを選択的に切り換える偽貨信号無効切換手段と
を具備することを特徴とする硬貨補助識別装置。
【請求項１６】
前記第２の判別手段の異常を検出する異常検出手段と、
前記異常信号に基づき前記硬貨投入口から投入された硬貨の前記硬貨処理装置への受入を禁止する硬貨受入禁止信号を発生する硬貨受入禁止信号発生手段と、
前記硬貨受入禁止信号発生手段から発生された硬貨受入禁止信号を無効にするか否かを選択的に切り換える硬貨受入禁止信号無効切換手段と
を更に具備することを特徴とする請求項１５記載の硬貨補助識別装置。
【発明の詳細な説明】
【０００１】
【発明の属する技術分野】
本発明は、自動販売機の制御方法および装置および硬貨補助識別装置に関し、特に、自動販売機の運用において補助的役割を果たす自動販売機の制御方法および装置および硬貨補助識別装置に関する。
【０００２】
【従来の技術】
一般に、自動販売機は主制御部に通信線を介して複数の周辺装置が接続されて構成される。例えば、周辺装置とは投入されたコインの識別、計数、振り分け、蓄積、払い出し等を主に処理するコイン処理装置（コインメック）や投入された紙幣の識別、計数、蓄積等を主に処理する紙幣識別装置（ビルバリデータ）等である。
【０００３】
近年、国内の正貨と材質および形状が類似している外国通貨を加工した偽造硬貨が出回り、偽造硬貨を投入して釣銭を搾取する犯罪等に対して対処しきれない場合、画像処理等を施すことで貨幣を選別する補助貨幣選別装置を自動販売機の投入口から貨幣処理装置の間に取り付けて、より高性能な選別性能にして対応する傾向が増えてきている。ただし、より高性能な選別性能の場合には、市場環境等により頻繁なメンテナンスが要求され、現実にはメンテナンスが施すことは困難である。
【０００４】
【発明が解決しようとする課題】
しかし、補助貨幣選別装置が汚れ等の影響、機械的故障若しくは電気的故障で機能が停止してしまった場合、補助貨幣選別装置から自動販売機の主制御部に故障通知が出力され、故障通知を入力した主制御部は貨幣処理装置の硬貨受入も停止してしまう。つまり、補助貨幣装置が故障若しくは性能低下し、機能が維持できなくなった場合、自動販売機の貨幣の受け付けができなくなることで、利用客に迷惑を掛けることになり、また、商品販売機会を逸してしまうという問題があった。
【０００５】
そこで、本発明は、自動販売機の運用において本来の機能を損ねることなく、偽造貨幣等を用いる犯罪に対して有効に機能する自動販売機の制御方法および装置および硬貨補助識別装置を提供することを目的とする。
【０００６】
【課題を解決するための手段】
上記目的を達成するため、請求項１の発明は、硬貨投入口と硬貨処理装置との間に、前記硬貨投入口から投入された硬貨の正偽の補助識別を行う硬貨補助識別装置を配設し、前記硬貨補助識別装置により前記硬貨投入口から投入された硬貨が偽貨と識別された場合は、該識別に基づいて偽貨を示す補助識別結果を発生し、前記硬貨補助識別装置で偽貨と識別された硬貨を前記硬貨処理装置から返却する自動販売機の制御方法において、前記硬貨補助識別装置の補助識別を採用するか否かを選択的に設定し、前記硬貨補助識別装置の補助識別を採用しないと設定された場合は、前記硬貨補助識別装置の補助識別結果を無効にすることを特徴とする。
【０００７】
また、請求項２の発明は、請求項１の発明において、前記補助識別結果の無効は、前記硬貨補助識別装置の偽貨識別に基づいて発生される偽貨信号を無効にすることであることを特徴とする。
【０００８】
また、請求項３の発明は、請求項２の発明において、前記硬貨補助識別装置の補助識別を採用しないと設定された場合における前記偽貨信号の無効は、前記硬貨補助識別装置で行われることを特徴とする。
【０００９】
また、請求項４の発明は、請求項２の発明において、前記硬貨補助識別装置の補助識別を採用しないと設定された場合における前記偽貨信号の無効は、前記硬貨補助識別装置と自動販売機の主制御部との間に接続された通信制御部で行われることを特徴とする。
【００１０】
また、請求項５の発明は、請求項２の発明において、前記硬貨補助識別装置の補助識別を採用しないと設定された場合における前記偽貨信号の無効は、前記硬貨処理装置で行われることを特徴とする。
【００１１】
また、請求項６の発明は、請求項２の発明において、前記硬貨補助識別装置の補助識別を採用しないと設定された場合における前記偽貨信号の無効は、前記硬貨補助識別装置および前記硬貨処理装置に接続された自動販売機の主制御部で行われることを特徴とする。
【００１２】
また、請求項７の発明は、請求項２の発明において、前記硬貨補助識別装置の異常を検出して該異常検出に基づき硬貨受入禁止信号を発生し、前記硬貨補助識別装置の補助識別を採用すると設定されている場合は、前記硬貨受入禁止信号を前記硬貨処理装置へ加えて、前記硬貨投入口から投入された硬貨の前記硬貨処理装置への受入を禁止し、前記硬貨補助識別装置の補助識別を採用しないと設定された場合は、前記硬貨受入禁止信号を無効にすることを特徴とする。
【００１３】
また、請求項８の発明は、硬貨投入口と硬貨処理装置との間に、前記硬貨投入口から投入された硬貨の正偽の補助識別を行う硬貨補助識別装置を配設し、前記硬貨補助識別装置により前記硬貨投入口から投入された硬貨が偽貨と識別された場合は、該識別に基づいて偽貨を示す補助識別結果を発生し、前記硬貨補助識別装置で偽貨と識別された硬貨を前記硬貨処理装置から返却する自動販売機の制御装置において、前記硬貨補助識別装置の補助識別を採用するか否かを選択的に設定する設定手段と、前記硬貨補助識別装置の補助識別を採用しないと設定された場合は、前記硬貨補助識別装置の補助識別結果を無効にする補助識別結果無効手段とを具備することを特徴とする。
【００１４】
また、請求項９の発明は、請求項８の発明において、前記補助識別結果の無効は、前記硬貨補助識別装置の偽貨識別に基づいて発生される偽貨信号を無効にすることであることを特徴とする。
【００１５】
また、請求項１０の発明は、請求項９の発明において、前記補助識別結果無効手段は、前記硬貨補助識別装置に設けられることを特徴とする。
【００１６】
また、請求項１１の発明は、請求項９の発明において、前記補助識別結果無効手段は、前記硬貨補助識別装置と自動販売機の主制御部との間に接続された通信制御部に設けられることを特徴とする。
【００１７】
また、請求項１２の発明は、請求項９の発明において、前記補助識別結果無効手段は、前記硬貨処理装置に設けられることを特徴とする。
【００１８】
また、請求項１３の発明は、請求項９の発明において、前記補助識別結果無効手段は、前記硬貨補助識別装置および前記硬貨処理装置に接続された自動販売機の主制御部に設けられることを特徴とする。
【００１９】
また、請求項１４の発明は、請求項９の発明において、前記硬貨補助識別装置の異常を検出して該異常検出に基づき異常信号を発生する異常信号発生手段と、前記設定手段により前記硬貨補助識別装置の補助識別を採用すると設定されている場合に、前記異常信号に基づき硬貨受入禁止信号を前記硬貨処理装置へ加えて、前記硬貨投入口から投入された硬貨の前記硬貨処理装置への受入を禁止する硬貨受入禁止手段と、前記設定手段により前記硬貨補助識別装置の補助識別を採用しないと設定された場合に、前記硬貨受入禁止信号を無効にする硬貨受入禁止信号無効手段とを更に具備することを特徴とする。
【００２０】
また、請求項１５の発明は、硬貨投入口と硬貨処理装置との間に設けられ、前記硬貨投入口から投入された硬貨の正偽の補助識別を行う硬貨補助識別装置であって、前記硬貨投入口から投入された硬貨が補助識別対象硬貨か否かを判別する第１の判別手段と、前記第１の判別手段により前記硬貨投入口から投入された硬貨が前記補助識別対象硬貨であると判別された場合に起動され、該硬貨が正貨であるか否かを判別する第２の判別手段と、前記第２の判別手段により前記硬貨投入口から投入された硬貨が偽貨であると判別された場合は偽貨信号を発生する偽貨信号発生手段と、前記偽貨信号発生手段で発生された偽貨信号を無効にするか否かを選択的に切り換える偽貨信号無効切換手段とを具備することを特徴とする。
【００２１】
また、請求項１６の発明は、請求項１５の発明において、前記第２の判別手段の異常を検出する異常検出手段と、前記異常信号に基づき前記硬貨投入口から投入された硬貨の前記硬貨処理装置への受入を禁止する硬貨受入禁止信号を発生する硬貨受入禁止信号発生手段と、前記硬貨受入禁止信号発生手段から発生された硬貨受入禁止信号を無効にするか否かを選択的に切り換える硬貨受入禁止信号無効切換手段とを更に具備することを特徴とする。
【００２２】
【発明の実施の形態】
以下、本発明に係わる自動販売機の制御方法および装置および硬貨補助識別装置の実施の形態について添付図面を参照して詳細に説明する。
【００２３】
図１は、自動販売機の投入口周辺の一例を示す概略構成図である。
【００２４】
図１に示すように、硬貨補助識別装置３は投入口２と硬貨処理装置６との間に配設され、硬貨補助識別装置３は硬貨処理装置７と自動販売機の主制御部８とに接続している。なお、投入口２から投入された硬貨１は、硬貨補助識別装置３を通過して図示矢印から硬貨処理装置７に投入される。
【００２５】
ここで、硬貨補助識別装置３は、第１の判別手段４と第２の判別手段５とを有する。第１の判別手段４と第２の判別手段５とで自動販売機に投入された硬貨１の正偽の判別を行い、判別の結果が偽貨の場合は硬貨処理装置７に偽貨信号を出力する。なお、判別の結果が正貨の場合は硬貨処理装置７に何も信号を出力しない。また、硬貨補助識別装置３に異常等が発生した場合は硬貨処理装置７と自動販売機の主制御部８とに硬貨受入禁止信号を出力する。
【００２６】
また、第１の判別手段４は、磁気センサ等で硬貨１の金種が予め設定した対象金種（例えば、１００円硬貨、５００円硬貨等）であるか否か判別する機能を有する。
【００２７】
また、第２の判別手段５は、第１の判別手段４で対象金種と判別された際に、判別された対象金種の特徴（例えば、表面模様等）に基づいて硬貨１を詳細に識別して正偽を判別する機能を有する。
【００２８】
また、硬貨補助識別装置３は、図示しない制御部を有している。制御部は硬貨補助識別装置３全体の制御を行うとともに、偽貨信号や硬貨受入禁止信号の出力の制御を行い、出力の制御の設定は信号出力切替設定スイッチ６でユーザ自ら行うことができる。なお、制御部については後述にて詳細に説明する。
【００２９】
また、硬貨処理装置７は、一般的な自動販売機用の硬貨処理装置であり、硬貨補助識別装置３から硬貨１を受け取ると、硬貨１の識別や選別を行い、各金種毎に一時貯蔵部へ振り分けて保管し、硬貨返却および釣銭払出の際には一時貯蔵部からの払い出しを行い、識別した硬貨１の金額信号を出力する。
【００３０】
また、自動販売機の主制御部８は、自動販売機全体の制御や硬貨処理装置７の制御を行う。
【００３１】
次に、硬貨補助識別装置３が行う処理手順について図２に示すフローチャートを参照して説明する。
【００３２】
まず、硬貨補助識別装置が待機状態（硬貨の投入待ち状態）の際に、硬貨補助硬貨装置に異常等が発生した場合（ステップＳ２０１でＹＥＳ）、硬貨受入禁止信号を無効にするか否か確認し（ステップＳ２０２）、硬貨受入禁止信号を無効にする場合（ステップＳ２０２でＹＥＳ）、硬貨受入禁止信号を硬貨処理装置と自動販売機の主制御部とに出力し（ステップＳ２０３）、待機状態に戻る（ステップＳ２０１に戻る）。なお、硬貨処理装置および自動販売機の主制御部が硬貨受入禁止信号を入力すると、自動販売機の主制御部は商品の販売を停止し、硬貨処理装置は硬貨を受け入れない。
【００３３】
また、硬貨受入禁止信号を無効にしない場合（ステップＳ２０２でＮＯ）、何も信号を出力せずに、待機状態に戻る（ステップＳ２０１に戻る）。
【００３４】
ここで、硬貨補助識別装置が待機状態の際に、硬貨補助硬貨装置に異常等が発生せずに（ステップＳ２０１でＮＯ）、硬貨補助識別装置に硬貨が投入されると（ステップＳ２０４でＹＥＳ）、硬貨補助識別装置の第１の判別手段で硬貨が対象金種であるか否か判別し（ステップＳ２０５）、対象金種と判別されなかった場合（ステップＳ２０５でＮＯ）、何も信号を出力せずに、待機状態に戻る（ステップＳ２０１に戻る）。
【００３５】
また、対象金種と判別された場合（ステップＳ２０５でＹＥＳ）、硬貨補助識別装置の第２の判別手段で対象金種の特徴に基づいて硬貨を詳細に識別して正偽を判別し（ステップＳ２０６）、正貨と判別された場合（ステップＳ２０６でＹＥＳ）、何も信号を出力せずに、待機状態に戻る（ステップＳ２０１に戻る）。
【００３６】
また、偽貨と判別された場合（ステップＳ２０６でＮＯ）、偽貨信号を無効にするか否か確認し（ステップＳ２０７）、偽貨信号を無効にする場合（ステップＳ２０７でＹＥＳ）、偽貨信号を硬貨処理装置に出力し（ステップＳ２０８）、待機状態に戻る（ステップＳ２０１に戻る）。なお、硬貨処理装置が偽貨信号を入力すると、硬貨処理装置は硬貨補助識別装置から受け取った硬貨の識別や選別を行わずに、硬貨を返却する。
【００３７】
また、偽貨信号を無効にしない場合（ステップＳ２０７でＮＯ）、何も信号を出力せずに、待機状態に戻る（ステップＳ２０１に戻る）。
次に、硬貨補助識別装置３の制御部について詳細に説明する。
【００３８】
図３は、本発明に係わる硬貨補助識別装置３を接続した自動販売機の概略構成の一例を示すブロック図である。
【００３９】
図３に示すように、硬貨補助識別装置３は第１の判別手段４、第２の判別手段５および制御部９を具備し、制御部９は硬貨処理装置７および自動販売機の主制御部８に接続され、通信のやり取りを行っている。
【００４０】
ここで、制御部９は、偽貨信号無効手段１０と硬貨受入禁止信号無効手段１１とを具備し、信号切替設定スイッチ６による設定に基づいて偽貨信号や硬貨受入禁止信号の出力の制御を行うとともに、硬貨補助識別装置３全体の制御および硬貨処理装置７と自動販売機の主制御部８との通信の中継を行う。
【００４１】
自動販売機に硬貨１が投入された際に、第１の判別手段４で硬貨１が対象金種（例えば、５００円や１００円等）であるか否かを判別し、対象金種と判別された場合、第２の判別手段５で硬貨１の真偽の判別を行い、正貨と判別された場合は正貨信号を制御部９に出力し、また、偽貨と判別された場合は偽貨信号を制御部９に出力する。また、第１の判別手段４で対象金種でないと判別された場合、第２の判別手段５による硬貨１の真偽の判別を行わず、制御部９に何も信号を出力しない。
【００４２】
そして、制御部９は偽貨信号を受け取った際に、信号切替設定スイッチ６によって偽貨信号を無効に設定していない場合、硬貨処理装置７に偽貨信号を出力し、また、信号切替設定スイッチ６によって偽貨信号を無効に設定している場合、偽貨信号無効手段１０によって硬貨処理装置７に偽貨信号を出力しない。
【００４３】
また、制御部９は正貨信号を受け取ったおよび制御部９は何も信号を受け取らなかった際に、硬貨処理装置７に何も信号を出力しない。
【００４４】
更に、制御部９は、待機状態（硬貨の投入待ち状態）の際に、硬貨補助識別装置３に異常等が発生すると、信号切替設定スイッチ６によって硬貨受入禁止信号を無効に設定していない場合、硬貨処理装置７に硬貨受入禁止信号を出力し、また、信号切替設定スイッチ６によって硬貨受入禁止信号を無効に設定している場合、硬貨受入禁止信号無効手段１１によって硬貨処理装置７に硬貨受入禁止信号を出力しない。
【００４５】
なお、上記実施例は、硬貨補助識別装置３の制御部９が信号切替設定スイッチ６、偽貨信号無効手段１０および硬貨受入禁止信号無効手段１１を具備する構成を一例にしてきたが、制御部９が硬貨補助識別装置３から独立する構成でも適用可能であり、更に、硬貨処理装置７や自動販売機の主制御部８が信号切替設定スイッチ６、偽貨信号無効手段１０および硬貨受入禁止信号無効手段１１を具備する構成でも適用可能である。
【００４６】
次に、制御部９が硬貨補助識別装置３から独立する構成について説明する。
【００４７】
図４は、本発明に係わる通信制御部１２を接続した自動販売機の概略構成の一例を示すブロック図である。
【００４８】
図４に示すように、通信制御部１２は偽貨信号無効手段１０と硬貨受入禁止信号無効手段１１とを具備し、信号切替設定スイッチ６による設定に基づいて偽貨信号や硬貨受入禁止信号の出力の制御を行うとともに、硬貨処理装置７と自動販売機の主制御部８との通信の中継を行う。なお、硬貨補助識別装置３、硬貨処理装置７および自動販売機の主制御部８の構成や動作等は図３に示すものと同様である。
【００４９】
また、通信制御部１２で行われる偽貨信号および硬貨受入禁止信号の出力の制御は、図３に示す制御部９と同様の出力の制御を行う。
【００５０】
次に、硬貨処理装置７が信号切替設定スイッチ６、偽貨信号無効手段１０および硬貨受入禁止信号無効手段１１を具備する構成について説明する。
【００５１】
図５は、本発明に係わる硬貨処理装置７を接続した自動販売機の概略構成の一例を示すブロック図である。
【００５２】
図５に示すように、硬貨処理装置７は偽貨信号無効手段１０と硬貨受入禁止信号無効手段１１とを具備し、信号切替設定スイッチ６による設定に基づいて偽貨信号や硬貨受入禁止信号の無効の制御を行う。なお、硬貨補助識別装置３および自動販売機の主制御部８の構成や動作等は図３に示すものと同様である。
【００５３】
自動販売機に硬貨１が投入された際に、硬貨補助識別装置３で硬貨１の識別が行われ、硬貨処理装置７は硬貨補助識別装置３から偽貨信号を受け取った際に、信号切替設定スイッチ６によって偽貨信号を無効に設定していない場合、硬貨１の識別や選別を行わずに返却し、また、信号切替設定スイッチ６によって偽貨信号を無効に設定している場合、硬貨１の識別や選別を行う。
【００５４】
また、硬貨処理装置７は硬貨補助識別装置３から正貨信号を受け取ったおよび硬貨処理装置７は硬貨補助識別装置３から何も信号を受け取らなかった際に、硬貨１の識別や選別を行う。
【００５５】
更に、硬貨処理装置７は、待機状態（硬貨の投入待ち状態）の際に、硬貨補助識別装置３に異常等が発生し、硬貨補助識別装置３から硬貨受入禁止信号を受け取ると、信号切替設定スイッチ６によって硬貨受入禁止信号を無効に設定していない場合、硬貨の受け入れを行わず、自動販売機の主制御部８に異常信号を出力し、また、信号切替設定スイッチ６によって硬貨受入禁止信号を無効に設定している場合、硬貨受入禁止信号を無視して硬貨の受け入れを行う。ここで、硬貨補助識別装置３の第１の判別手段４で予め設定した対象金種と判別された硬貨のみ受け入れを行わないように信号切替設定スイッチ６で設定する構成でも良い。
【００５６】
次に、自動販売機の主制御部８が信号切替設定スイッチ６、偽貨信号無効手段１０および硬貨受入禁止信号無効手段１１を具備する構成について説明する。
【００５７】
図６は、本発明に係わる自動販売機の主制御部８を接続した自動販売機の概略構成の一例を示すブロック図である。
【００５８】
図６に示すように、自動販売機の主制御部８は偽貨信号無効手段１０と硬貨受入禁止信号無効手段１１とを具備し、信号切替設定スイッチ６による設定に基づいて偽貨信号や硬貨受入禁止信号の無効の制御を行う。なお、硬貨補助識別装置３および硬貨処理装置７の構成や動作等は図３に示すものと同様である。
【００５９】
自動販売機に硬貨１が投入された際に、硬貨補助識別装置３で硬貨１の識別が行われ、自動販売機の主制御部８は硬貨補助識別装置３から偽貨信号を受け取った際に、硬貨処理装置７に偽貨信号を出力し、また、信号切替設定スイッチ６によって偽貨信号を無効に設定している場合、偽貨信号無効手段１０によって硬貨処理装置７に偽貨信号を出力しない。
【００６０】
また、自動販売機の主制御部８は正貨信号を受け取ったおよび自動販売機の主制御部８は何も信号を受け取らなかった際に、硬貨処理装置７に何も信号を出力しない。
【００６１】
更に、自動販売機の主制御部８は、待機状態（硬貨の投入待ち状態）の際に、硬貨補助識別装置３に異常等が発生し、硬貨補助識別装置３から硬貨受入禁止信号を受け取ると、信号切替設定スイッチ６によって硬貨受入禁止信号を無効に設定していない場合、硬貨処理装置７に硬貨受入禁止信号を出力して自動販売機の主制御部は商品の販売を停止し、また、信号切替設定スイッチ６によって硬貨受入禁止信号を無効に設定している場合、硬貨受入禁止信号無効手段１１によって硬貨処理装置７に硬貨受入禁止信号を出力しない。ここで、硬貨補助識別装置３の第１の判別手段４で予め設定した対象金種と判別された硬貨（つまり、硬貨補助識別装置３から正貨信号若しくは偽貨信号を受け取った際）のみ受け入れを行わないように信号切替設定スイッチ６で設定する構成でも良い。
【００６２】
【発明の効果】
以上説明したように本発明によれば、硬貨補助識別装置から出力される故障や偽貨を示す信号を制御することで、硬貨補助識別装置の影響によって、自動販売機の運用において本来の機能を損ねることなく、自動販売機の利便性や売上の低下を防止することが可能になるという効果を奏する。
【図面の簡単な説明】
【図１】自動販売機の投入口周辺の一例を示す概略構成図である。
【図２】硬貨補助識別装置６が行う処理手順を示すフローチャートである。
【図３】本発明に係わる硬貨補助識別装置３を接続した自動販売機の概略構成の一例を示すブロック図である。
【図４】本発明に係わる通信制御部１２を接続した自動販売機の概略構成の一例を示すブロック図である。
【図５】本発明に係わる硬貨処理装置７を接続した自動販売機の概略構成の一例を示すブロック図である。
【図６】本発明に係わる自動販売機の主制御部８を接続した自動販売機の概略構成の一例を示すブロック図である。
【符号の説明】
１　　硬貨
２　　投入口
３　　硬貨補助識別装置
４　　第１の判別手段
５　　第２の判別手段
６　　信号切替設定スイッチ
７　　硬貨処理装置
８　　自動販売機の主制御部
９　　制御部
１０　　偽貨信号無効手段
１１　　硬貨受入禁止信号無効手段
１２　　通信制御部
【図１】
2004021314.tif 000003
【図２】
2004021314.tif 000004
【図３】
2004021314.tif 000005
【図４】
2004021314.tif 000006
【図５】
2004021314.tif 000007
【図６】
2004021314.tif 000008